(57)【要約】【課題】  入力信号の種別を正確に判定することが可能なテレビジョンの提供を課題とする。【解決手段】  本発明では、同期信号が検出可能、かつ、中間周波信号の周波数のずれが少ないが、中間周波信号の信号強度が弱いチャンネルをスプリアスチャンネルとして検出し、同スプリアスチャンネル数が多いことをもってＡＩＲ放送が受信されていると判定している。スプリアス信号は伝送経路が有線で確保されているＣＡＴＶにおいては発生しにくいため、スプリアスチャンネル数が多いことをもって正確にＡＩＲ放送が受信されていることを判定することができる。【選択図】  図３
2007028145.tif 000002
【特許請求の範囲】
【請求項１】
受信するチャンネルに対応した搬送周波数のテレビ電波を選択し、同選択したテレビ電波から中間周波信号を生成する選局手段を具備するテレビジョンにおいて、
上記中間周波信号の周波数特性を調整するＳＡＷフィルタと、
上記中間周波信号の信号強度に応じたＡＧＣ電圧を取得し、同ＡＧＣ電圧に基づく増幅率によって同中間周波信号を増幅する増幅手段と、
上記中間周波信号から同期信号を検出する同期信号検出手段と、
上記中間周波信号の基準周波数に対する周波数のずれに応じたＡＦＴ電圧を検出し、同ＡＦＴ電圧に基づいて同中間周波信号の周波数を補正する周波数補正手段と、
上記同期検出手段から同期信号が検出された旨の同期検出信号を入力し、上記増幅手段および上記周波数補正手段からそれぞれＡ／Ｄポートを介して上記ＡＧＣ電圧と上記ＡＦＴ電圧をデジタル信号として入力するマイコンと、
上記マイコンに備えられ、上記同期信号が検出され、かつ、上記ＡＦＴ電圧が所定の範囲である場合に、上記ＡＧＣ電圧を上記選局手段が選択している上記チャンネルと対応づけてＥＥＰＲＯＭに記憶するＡＧＣ電圧記憶手段と、
上記マイコンに備えられ、上記ＥＥＰＲＯＭに記憶された上記ＡＧＣ電圧と所定の閾値とを比較し、その比較結果により上記中間周波信号の信号強度が大きいと認められる上記チャンネルを正常チャンネルと判定し、同比較結果により上記中間周波信号の信号強度が小さいと認められる上記チャンネルをスプリアスチャンネルと判定するとともに、そのスプリアスチャンネル数を計数する計数手段と、
上記マイコンに備えられ、上記スプリアスチャンネル数が所定の閾値を上回る場合に上記選局手段がＡＩＲ放送信号を入力していると判定し、スプリアスチャンネル数が所定の閾値を下回る場合に同選局手段がＣＡＴＶ信号を入力していると判定する判定手段と、
上記スプリアスチャンネルに関するデータについては上記ＥＥＰＲＯＭから削除するとともに、上記正常チャンネルについては上記判定手段による判定結果に応じて同正常チャンネルに対応づけて上記ＥＥＰＲＯＭに異なるチャンネル情報を記憶するチャンネル登録手段とを具備することを特徴とするテレビジョン。
【請求項２】
受信するチャンネルに対応した搬送周波数のテレビ電波を選択し、同選択したテレビ電波から中間周波信号を生成する選局手段を具備するテレビジョンにおいて、
上記中間周波信号の信号強度に応じたＡＧＣ電圧を取得し、同ＡＧＣ電圧に基づく増幅率によって同中間周波信号を増幅する増幅手段と、
上記ＡＧＣ電圧に基づいて同中間周波信号の信号強度が小さい認められる場合に上記選局手段が選択している上記チャンネルをスプリアスチャンネルと判定し、そのスプリアスチャンネル数を計数する計数手段と、
上記スプリアスチャンネル数が所定の閾値を上回る場合に上記選局手段がＡＩＲ放送信号を入力していると判定する判定手段とを具備することを特徴とするテレビジョン。
【請求項３】
上記計数手段は、上記ＡＧＣ電圧と所定の閾値との比較結果により上記中間周波信号の信号強度が小さいと認めることを特徴とする請求項２に記載のテレビジョン。
【請求項４】
上記中間周波信号から同期信号を検出する同期信号検出手段を具備するとともに、
上記計数手段は、上記同期信号が検出され、かつ、上記ＡＧＣ電圧に基づいて同中間周波信号の信号強度が小さいと認められた場合に、上記選局手段が選択している上記チャンネルが上記スプリアスチャンネルであると判定することを特徴とする請求項２または請求項３のいずれかに記載のテレビジョン。
【請求項５】
上記中間周波信号の基準周波数に対する周波数のずれに応じたＡＦＴ電圧を検出し、同ＡＦＴ電圧に基づいて同中間周波信号の周波数を補正する周波数補正手段を具備するとともに、
上記計数手段は、上記ＡＦＴ電圧が所定の範囲であり、かつ、上記ＡＧＣ電圧に基づいて同中間周波信号の信号強度が大きいと認められた場合に、上記ＡＧＣ電圧に基づいて同中間周波信号の信号強度が小さいと認められた場合に、上記選局手段が選択している上記チャンネルが上記スプリアスチャンネルであると判定することを特徴とする請求項２から請求項４のいずれかに記載のテレビジョン。
【請求項６】
上記ＡＧＣ電圧記憶手段および上記計数手段および上記判定手段はマイコンに備えられるとともに、上記ＡＧＣ電圧および上記ＡＦＴ電圧はＡ／Ｄポートを介してデジタル信号としてマイコンに入力されることを特徴とする請求項５に記載のテレビジョン。
【発明の詳細な説明】
【技術分野】
【０００１】
本発明はテレビジョンに関し、特に受信するチャンネルに対応した搬送周波数のテレビ電波を選択し、同選択したテレビ電波から中間周波信号を生成する選局手段を具備するテレビジョンに関する。
【背景技術】
【０００２】
従来、この種のテレビジョンとして、ＡＦＴ電圧が所定の条件を満足し、かつ、同期信号が検出された場合に、チューナにＣＡＶＴ信号が入力されていると判定するものが知られている（例えば、特許文献１参照）。
かかる構成によれば、チューナの入力信号を判別することができため、その入力信号に応じてチューナの利得を制御することが可能であった。
【特許文献１】特開平１０−５１３４４
【発明の開示】
【発明が解決しようとする課題】
【０００３】
しかしながら、上述したテレビジョンにおいて、正常なテレビ電波でないにもかかわらず、ＡＦＴ電圧が所定の条件を満足し、かつ、同期信号が検出されることがあり、正確に入力信号の判定を行うことができないという課題があった。具体的には、地上波テレビ電波を受信する場合には、本来の周波数の定数倍の周波数を有するスプリアス信号が受信されることが多く、同スプリアス信号から同期信号が検出され得るため、誤判定が生じるという問題があった。
本発明は、上記課題にかんがみてなされたもので入力信号の種別を正確に判定することが可能なテレビジョンの提供を目的とする。
【課題を解決するための手段】
【０００４】
上記目的を達成するために、請求項２にかかる発明では、受信するチャンネルに対応した搬送周波数のテレビ電波を選択し、同選択したテレビ電波から中間周波信号を生成する選局手段を具備するテレビジョンにおいて、
上記中間周波信号の信号強度に応じたＡＧＣ電圧を取得し、同ＡＧＣ電圧に基づく増幅率によって同中間周波信号を増幅する増幅手段と、上記ＡＧＣ電圧に基づいて同中間周波信号の信号強度が小さい認められる場合に上記選局手段が選択している上記チャンネルをスプリアスチャンネルと判定し、そのスプリアスチャンネル数を計数する計数手段と、上記スプリアスチャンネル数が所定の閾値を上回る場合に上記選局手段がＡＩＲ放送を入力していると判定する判定手段とを具備する構成としてある。
【０００５】
上記のように構成した請求項２において、選局手段が受信するチャンネルに対応した搬送周波数のテレビ電波を選択することにより、所望のチャンネルを受信することができる。選局手段は受信したテレビ電波に基づいて中間周波信号を生成する。増幅手段は上記中間周波信号の信号強度を検出し、それに応じたＡＧＣ電圧を生成する。そして、ＡＧＣ電圧に基づく増幅率によって上記中間周波信号を増幅する。すなわち、上記増幅手段は、上記中間周波信号の信号強度に基づいて同信号強度を調整するフィードバック制御を行う。
【０００６】
計数手段は、上記中間周波信号の信号強度が小さいことを上記ＡＧＣ電圧に基づいて認定し、同中間周波信号の信号強度が小さくなる上記チャンネルをスプリアスチャンネルと判定する。そして、上記スプリアスチャンネルの数を計数する。判定手段は、上記スプリアスチャンネル数が所定の閾値を上回る場合に上記選局手段がＡＩＲ放送を入力していると判定する。すなわち、受信された上記チャンネルのうちどれだけの数のチャンネルが信号強度の弱い上記スプリアスチャンネルであるかという指標に基づいて、上記選局手段がどの種類のテレビ電波を入力しているかを判定する。本来のテレビ電波から派生するスプリアス成分は、信号強度が顕著に減衰するため、上記ＡＧＣ電圧に基づいてスプリアス成分が受信されているチャンネルを特定することができる。また、テレビ電波の伝送経路が有線で確保されているＣＡＴＶにおいては上記スプリアス成分が生じないため、上記スプリアスチャンネルが所定量受信されることをもってＡＩＲ放送信号が受信されていると判断することができる。
【０００７】
また、請求項３にかかる発明では、上記判定手段は、上記ＡＧＣ電圧と所定の閾値との比較結果により上記中間周波信号の信号強度が小さいと認める構成としてある。
上記のように構成した請求項３の発明において、上記ＡＧＣ電圧と所定の閾値との比較し、その比較結果によって上記中間周波信号の信号強度が小さいと判断する。すなわち、上記ＡＧＣ電圧が絶対的な基準とする閾値を上回るとき、あるいは、下回るときに、上記中間周波信号の信号強度が小さいと判断することができる。
【０００８】
さらに、請求項４にかかる発明では、上記中間周波信号から同期信号を検出する同期信号検出手段を具備するとともに、上記計数手段は、上記同期信号が検出され、かつ、上記ＡＧＣ電圧に基づいて同中間周波信号の信号強度が小さいと認められた場合に、上記選局手段が選択している上記チャンネルが上記スプリアスチャンネルであると判定する構成としてある。
【０００９】
上記のように構成した請求項４の発明において、同期信号検出手段においては、上記中間周波信号から同期信号が検出される。そして、上記同期信号が検出されたうえで、上記中間周波信号の信号強度が小さいと認められた場合に限り、上記選局手段が選択している上記チャンネルが上記スプリアスチャンネルであると判定する。従って、上記同期信号が含まれないノイズ信号の影響を防止することができる。
【００１０】
また、請求項５にかかる発明では、上記中間周波信号の基準周波数に対する周波数のずれに応じたＡＦＴ電圧を検出し、同ＡＦＴ電圧に基づいて同中間周波信号の周波数を補正する周波数補正手段を具備するとともに、上記計数手段は、上記ＡＦＴ電圧が所定の範囲であり、かつ、上記ＡＧＣ電圧に基づいて同中間周波信号の信号強度が大きいと認められた場合に、上記ＡＧＣ電圧に基づいて同中間周波信号の信号強度が小さいと認められた場合に、上記選局手段が選択している上記チャンネルが上記スプリアスチャンネルであると判定する構成としてある。
【００１１】
上記のように構成した請求項５の発明において、周波数補正手段においては、上記中間周波信号の基準周波数に対する周波数のずれに応じたＡＦＴ電圧を検出し、同ＡＦＴ電圧に基づいて同中間周波信号の周波数を補正する。すなわち、上記周波数補正手段は、上記中間周波信号の実際の周波数に基づいて同中間周波信号の周波数を調整するフィードバック制御を行っている。そして、上記中間周波信号の周波数が適正な値であることが判断されたうえで、上記中間周波信号の信号強度が小さいと認められた場合に限り、上記選局手段が選択している上記選局手段が選択している上記チャンネルが上記スプリアスチャンネルであると判定する。従って、上記中間周波信号と周波数がかけ離れるようなノイズ信号の影響を防止することができる。
【００１２】
さらに、請求項６にかかる発明では、上記ＡＧＣ電圧記憶手段および上記計数手段および上記判定手段はマイコンに備えられるとともに、上記ＡＧＣ電圧および上記ＡＦＴ電圧はＡ／Ｄポートを介してデジタル信号としてマイコンに入力される構成としてある。
上記のように構成した請求項６の発明において、マイコンが上記ＡＧＣ電圧記憶手段および上記計数手段および上記判定手段の機能を実行させる。そして、マイコンが備えるＡ／Ｄポートを介して上記ＡＧＣ電圧と上記ＡＦＴがデジタル信号として入力される。従って、上記ＡＧＣ電圧と上記ＡＦＴ電圧をマイコンが扱うことができる。
【００１３】
以上の構成を踏まえたうえで、請求項１の発明は、受信するチャンネルに対応した搬送周波数のテレビ電波を選択し、同選択したテレビ電波から中間周波信号を生成する選局手段を具備するテレビジョンにおいて、
上記中間周波信号の周波数特性を調整するＳＡＷフィルタと、上記中間周波信号の信号強度に応じたＡＧＣ電圧を取得し、同ＡＧＣ電圧に基づく増幅率によって同中間周波信号を増幅する増幅手段と、上記中間周波信号から同期信号を検出する同期信号検出手段と、上記中間周波信号の基準周波数に対する周波数のずれに応じたＡＦＴ電圧を検出し、同ＡＦＴ電圧に基づいて同中間周波信号の周波数を補正する周波数補正手段と、上記同期検出手段から同期信号が検出された旨の同期検出信号を入力し、上記増幅手段および上記周波数補正手段からそれぞれＡ／Ｄポートを介して上記ＡＧＣ電圧と上記ＡＦＴ電圧をデジタル信号として入力するマイコンと、上記マイコンに備えられ、上記同期信号が検出され、かつ、上記ＡＦＴ電圧が所定の範囲である場合に、上記ＡＧＣ電圧を上記選局手段が選択している上記チャンネルと対応づけてＥＥＰＲＯＭに記憶するＡＧＣ電圧記憶手段と、上記マイコンに備えられ、上記ＥＥＰＲＯＭに記憶された上記ＡＧＣ電圧と所定の閾値とを比較し、その比較結果により上記中間周波信号の信号強度が大きいと認められる上記チャンネルを正常チャンネルと判定し、同比較結果により上記中間周波信号の信号強度が小さいと認められる上記チャンネルをスプリアスチャンネルと判定するとともに、そのスプリアスチャンネル数を計数する計数手段と、上記マイコンに備えられ、上記スプリアスチャンネル数が所定の閾値を上回る場合に上記選局手段がＡＩＲ放送信号を入力していると判定し、スプリアスチャンネル数が所定の閾値を下回る場合に同選局手段がＣＡＴＶ信号を入力していると判定する判定手段と、上記スプリアスチャンネルに関するデータについては上記ＥＥＰＲＯＭから削除するとともに、上記正常チャンネルについては上記判定手段による判定結果に応じて同正常チャンネルに対応づけて上記ＥＥＰＲＯＭに異なるチャンネル情報を記憶するチャンネル登録手段とを具備する構成としてある。
【００１４】
このような、より具体的な構成において上述した請求項２〜請求項６の各発明と同様の作用を奏することはいうまでもない。
【発明の効果】
【００１５】
以上説明したように請求項１および請求項２の発明によれば、入力信号の種別を正確に判定することが可能なテレビジョンを提供することができる。
請求項３の発明によれば、一定の値よりも信号強度が強いチャンネルがスプリアスチャンネルとして判定されることが防止できる。
請求項４の発明によれば、同期信号が検出されないチャンネルがスプリアスチャンネルとして判定されることが防止できる。
請求項５の発明によれば、不正な周波数となるチャンネルがスプリアスチャンネルとして判定されることが防止できる。
請求項６の発明によれば、マイコンを利用して判定を行うことができる。
【発明を実施するための最良の形態】
【００１６】
ここでは、下記の順序に従って本発明の実施形態について説明する。
（１）テレビジョンの構成：
（２）チャンネル登録動作：
（３）まとめ：
【００１７】
（１）テレビジョンの構成：
図１は、本発明の一実施形態にかかるテレビジョンを概略ブロック図により示している。なお、同図においては図の簡略化のため映像信号の処理系統のみを示すものとする。テレビジョン１０は、チューナ１１とＳＡＷ(Surface Acoustic Wave)フィルタ１２と中間周波増幅回路１３と映像検波回路１４と映像信号処理回路１５とＡＧＣ回路１６とＡＦＴ回路１７とＥＥＰＲＯＭ１８とマイコン１９とから構成されている。また、テレビジョン１０にはアンテナ端子１０ａを介してアンテナ３０が接続されており、同アンテナ３０にて受信した地上波テレビ電波がチューナ１１に入力される。なお、図示しないがアンテナ端子１０ａにはＣＡＴＶのケーブルも接続することが可能となっている。チューナ１１は、テレビ電波が搬送された搬送周波数をチャンネルごとに選択し、局部発信回路にて中間周波信号を生成する。このチューナ１１は、いわゆるＰＬＬシンセサイザ方式の選局方式を採用しており、各種の固定分周器や可変分周器の分周比を選択することによって受信可能な周波数を制御することが可能であり、かかる周波数制御はマイコン１９から送出される制御信号に従って行われる。
【００１８】
マイコン１９は、バス１９ｄによって接続されたＣＰＵ１９ａとＲＯＭ１９ｂとＲＡＭ１９ｃとから構成されており、バス１９ｄにはＡ／Ｄポート１９ｅ，１９ｆが接続されている。ＣＰＵ１９ａはＲＯＭ１９ｂに記憶された制御プログラムを読み出して、ＲＡＭ１９ｃをワークエリアとして利用しながら同制御プログラムに準じた処理を実行させる。ＲＯＭ１９ｂにはＡＩＲ放送用のチャンネルデータ１９ｂ１とＣＡＴＶ用のチャンネルデータ１９ｂ２とが記憶されており、各チャンネルデータ１９ｂ１，１９ｂ２には搬送周波数とチャンネル情報との対応関係が格納されている。チャンネルデータ１９ｂ１，１９ｂ２には、双方とも搬送周波数とチャンネル情報との対応関係が格納されているが、ＡＩＲ放送とＣＡＴＶとでは搬送周波数に対応するチャンネル番号や放送局が全く異なるため、それぞれ個別に用意されている。Ａ／Ｄポート１９ｅにはＲＦ−ＡＧＣ電圧が入力されており、もう一方のＡ／Ｄポート１９ｆにはＡＦＴ電圧が入力されている。ＲＦ−ＡＧＣ電圧およびＡＦＴ電圧は所定の範囲で推移する直流電圧であるが、Ａ／Ｄポート１９ｅ，１９ｆを介することにより、同直流電圧の電圧値に応じたデジタル信号に変換される。
【００１９】
マイコン１９の外部にはＥＥＰＲＯＭ１８が接続されており、同ＥＥＰＲＯＭ１８にはチャンネルデータテーブルＴ１が記憶されている。図２は、チャンネルデータテーブルＴ１に記述される内容を示している。同図において、各チャンネル番号に対応するテレビ電波が搬送される搬送周波数が記憶されている。各チャンネルに対応してＲＦ−ＡＧＣ電圧や放送局等やチャンネル番号等のチャンネル情報も記憶することが可能となっている。マイコン１９は、操作パネルやリモコンの操作によってチャンネルの指定を受け付けると、同指定されたチャンネルに対応した搬送周波数をチャンネルデータテーブルＴ１から特定し、同特定した搬送周波数をチューナ１１に設定する制御信号を出力する。
【００２０】
このようにすることにより、指定されたチャンネルのテレビ電波をチューナ１１にて受信することができる。なお、チャンネルデータテーブルＴ１に各チャンネルに対応した搬送周波数が記憶されてもよいし、各搬送周波数に対応して設定されるチューナ１１における固定分周器や可変分周器の分周比が記憶されてもよい。いずれにしても、チューナ１１にて受信する搬送周波数とチャンネルの対応関係が規定されることには相違ない。ＥＥＰＲＯＭ１８は書き換え可能であり、チャンネルデータテーブルＴ１を新規に作成したり、更新したりすることができる。
【００２１】
ＳＡＷ(Surface Acoustic Wave)フィルタ１２は中間周波信号を入力し、同中間周波信号の表面波の周波数帯域を適正化する。チューナ１１が生成した中間周波信号の信号強度は、入力したテレビ電波の状態に応じてチャンネルごとに様々である。そのため、チューナ１１および中間周波増幅回路１３にて信号強度が調整される。チューナ１１において中間周波信号を増幅する際の増幅率はＲＦ−ＡＧＣ電圧に基づいて制御され、中間周波増幅回路１３において中間周波信号を増幅する際の増幅率はＩＦ−ＡＧＣ電圧に基づいて制御される。ＲＦ−ＡＧＣ電圧およびＩＦ−ＡＧＣ電圧はともにＡＧＣ回路１６にて生成されており、ＡＧＣ回路１６には中間周波増幅回路１３および映像検波回路１４を経た複合映像信号が入力されている。
【００２２】
ＡＧＣ回路１６は映像検波回路１４から出力された中間周波信号である複合映像信号を取得し、同複合映像信号に応じたＲＦ−ＡＧＣ電圧およびＩＦ−ＡＧＣ電圧を生成する。具体的には、複合映像信号の信号強度が大きい場合には低いＲＦ−ＡＧＣ電圧およびＩＦ−ＡＧＣ電圧を生成し、複合映像信号の信号強度が小さい場合には高いＲＦ−ＡＧＣ電圧およびＩＦ−ＡＧＣ電圧を生成する。ＲＦ−ＡＧＣ電圧においては、０〜５Ｖとの間で電圧レベルが変動する。ＲＦ−ＡＧＣ電圧はチューナ１１に入力され、同ＲＦ−ＡＧＣ電圧が高いほどチューナ１１における中間周波信号の増幅率が上昇させられる。このように、増幅後の複合映像信号の信号強度に基づくＲＦ−ＡＧＣ電圧によってチューナ１１における中間周波信号の増幅率がフィードバック制御されるため、中間周波信号や複合映像信号の信号強度を理想的な値に収束させることができる。なお、ＲＦ−ＡＧＣ電圧に基づいて中間周波信号の増幅を行うチューナ１１が本発明の増幅手段に相当する。
【００２３】
同様に、ＩＦ−ＡＧＣ電圧は中間周波増幅回路１３に入力され、同ＩＦ−ＡＧＣ電圧が高いほどチューナ１１における中間周波信号の増幅率が上昇させられる。中間周波増幅回路１３においても、増幅後の複合映像信号の信号強度に基づくＩＦ−ＡＧＣ電圧によって中間周波信号の増幅率がフィードバック制御されるため、中間周波信号や複合映像信号の信号強度を理想的な値に収束させることができる。中間周波増幅回路１３から出力された中間周波信号は、映像検波回路１４に入力され、同映像検波回路１４にて複合映像信号が抽出される。
【００２４】
チューナ１１が生成した中間周波信号の周波数は５８．７５ＭＨｚであることが望ましいがテレビ電波の受信状況によって誤差が生じる。そこで、ＡＦＴ回路１７を設け、同ＡＦＴ回路１７にて中間周波増幅回路１３における中間周波信号の周波数に基づくＡＦＴ電圧を作成する。具体的には、中間周波増幅回路１３の中間周波信号から映像搬送波を取り出し、ＦＭ検波回路にて同映像搬送波と基準周波数（５８．７５ＭＨｚ）とのずれに応じた電圧を生成し、同電圧を直流増幅することによりＡＦＴ電圧を生成する。ＡＦＴ電圧が入力されたチューナ１１においては、局部発信回路に同ＡＦＴ電圧を作用させることにより、中間周波信号の周波数を５８．７５ＭＨｚに収束させる。この意味でチューナ１１とＡＦＴ回路１７が本発明の周波数補正手段に相当する。なお、中間周波信号の周波数が低周波側にずれている場合には、高いＡＦＴ電圧が出力され、局部発信回路における発信周波数が上昇する。反対に、中間周波信号の周波数が高周波側にずれている場合には、低いＡＦＴ電圧が出力され、局部発信回路における発信周波数が低下する。
【００２５】
一方、映像検波回路１４から出力された複合映像信号は、映像信号処理回路１５に入力される。複合映像信号は輝度信号と搬送色信号と同期信号とが合成された複合波であるが、映像信号処理回路１５では複合映像信号を上記各信号に分離する処理を行う。特に、映像信号処理回路１５には同期分離回路１５ａが備えられており、同期分離回路１５ａにて垂直同期信号や水平同期信号が抽出される。なお、同期分離回路１５ａにて同期信号が検出された場合には、その旨の同期検出信号がマイコン１９に出力される。
【００２６】
（２）チャンネル登録動作：
以上説明した本テレビジョン１０の構成において、チャンネルを登録する処理が実行される。マイコン１９のＲＯＭ１９には当該処理を実行させるための制御プログラムが記憶されており、ＣＰＵ１９が同制御プログラムに基づいた処理を実行させる。図３は、マイコン１９が実行させるチャンネル登録処理の流れを示している。同図において、ステップＳ１００において登録するチャンネルを選択する。なお、本実施形態においては、ＡＩＲ放送およびＣＡＴＶを含め受信され得る全チャンネルの搬送周波数がデフォルトとして記憶されており、それぞれについて後述する処理を行うことにより、各搬送周波数において受信可能なテレビ電波の存否が検証される。そして、受信可能なテレビ電波が存在すると検証された搬送周波数についてのデータのみチャンネルデータテーブルＴ１に残存させる処理を行う。
【００２７】
ステップＳ１１０では、選択されたチャンネルに対応する搬送周波数をチャンネルデータテーブルＴ１から取得する。そして、マイコン１９が同搬送周波数帯を受信するようにチューナ１１に制御信号を送出する。ステップＳ１２０においては同期分離回路１５ａから入力される同期検出信号に基づいて同期信号が検出されたかどうかが判定される。同期信号が検出されない場合にはステップＳ１２５にて当該チャンネルについてのデータを削除し、ステップＳ１１０に戻る。すなわち、先に選択したチャンネルに対応づけられた搬送周波数帯域には受信可能なテレビ電波が存在しないとして、当該チャンネルをチャンネルデータテーブルＴ１に登録することなく、次のチャンネルに対する処理を実行する。
【００２８】
なお、ステップＳ１２０においては、ステップＳ１１０にて最初に設定した搬送周波数を中心として、搬送周波数を所定の範囲でシフトさせるようにしてもよい。このようにすることにより、多少の搬送周波数を許容することができる。ただし、搬送周波数をシフトさせる回数が増大すると処理に時間が要するため、そのシフト回数を２回程度に制限しておくことが望ましい。
【００２９】
一方、同期信号が検出された場合にはステップＳ１３０において、Ａ／Ｄポート１９ｆを介してデジタル化されたＡＦＴ電圧を取得する。そして、ステップＳ１４０においてはＡＦＴ電圧が所定の範囲の値となっているかどうかを判定する。ＡＦＴ電圧は中間周波信号の周波数のずれを意味するものであるため、ＡＦＴ電圧の値が正常でない場合、受信された信号の周波数が正常ないといえる。従って、ＡＦＴ電圧の値が正常でない場合にはステップＳ１４５にて当該チャンネルについてのデータを削除し、ステップＳ１１０に戻る。すなわち、先に選択したチャンネルに対応づけられた搬送周波数帯域には受信可能なテレビ電波が存在しないとして、当該チャンネルをチャンネルデータテーブルＴ１に登録することなく、次のチャンネルに対する処理を実行する。
【００３０】
例えば、±５０ｋＨｚ以内の周波数のずれとなるようにＡＦＴ電圧の許容範囲を設定すれば、適正なテレビ電波が存否を判定することができる。なお、ＡＦＴ電圧値の変動状態も考慮してＡＦＴ電圧の適正を判定するようにしてもよい。例えば、チューナ１１が受信する搬送周波数を徐々にシフトさせ、これに追従してＡＦＴ電圧が上記の許容範囲内において単調増加または単調減少していればＡＦＴ電圧が適正であると判定するようにしてもよい。
【００３１】
一方、適正なＡＦＴ電圧であった場合には、ステップＳ１５０にてＡ／Ｄポート１９ｆを介してデジタル化されたＲＦ−ＡＧＣ電圧を取得する。ステップＳ１６０ではチャンネルと搬送周波数とＲＦ−ＡＧＣ電圧とをチャンネルデータテーブルＴ１に記憶させる。ステップＳ１７０においては、全てのチャンネルについて処理が完了したかどうかが確認され、完了していなければ、Ｓ１００に戻り次のチャンネルを対象として処理を続行する。すなわち、デフォルトで登録されている各チャンネルについて、それぞれ同期信号が検出可能であることと、中間周波信号の周波数のずれが少ないことが検証され、両条件を満足するチャンネルについてのみ搬送周波数とＲＦ−ＡＧＣ電圧をチャンネルデータテーブルＴ１に記憶させることができる。
【００３２】
ステップＳ１７０において全てのチャンネルについて処理が完了したことが確認できると、ステップＳ１８０ではチャンネルデータテーブルＴ１に記憶されたチャンネルのうちＲＦ−ＡＧＣ電圧が３．１Ｖを上回るものを検索する。そして、ＲＦ−ＡＧＣ電圧が３．１Ｖを上回るチャンネルの数をスプリアスチャンネル数として計数する。ステップＳ１９０においては、スプリアスチャンネル数が５チャンネル以上であるかどうかが判定され、５チャンネル以上であれば、ステップＳ２００にてＡＩＲ放送モードに移行する。一方、スプリアスチャンネル数が５チャンネルよりも少なければステップＳ２１０にてＣＡＴＶモードに移行する。
【００３３】
ステップＳ２００のＡＩＲ放送モードにおいては、まずステップＳ１９０にて検出されたスプリアスチャンネルについてのデータをチャンネルデータテーブルＴ１から削除する。ここで、スプリアスチャンネルとは、同期信号が検出可能、かつ、中間周波信号の周波数のずれが少ないが、中間周波信号の信号強度が弱いチャンネルであるということができる。ＡＩＲ放送においてはテレビ電波が空中を種々の障害物を経由して伝送されるため、本来のテレビ電波から派生する高調波成分としてスプリアス信号が受信されることがある。本来のテレビ電波から派生するため、スプリアス信号は著しく信号強度が減少するものの、同期信号が検出でき、中間周波信号の周波数特性も本来のテレビ電波に似たものとなる。
【００３４】
従って、ステップＳ１２０にて同期信号が検出され、ステップＳ１４０にてＡＴＦ電圧が適正であり、かつ、ＲＦ−ＡＧＣ電圧が３．１Ｖを上回り信号強度が弱いチャンネルにおいてはスプリアス信号が受信されていると判定することができる。スプリアス信号は、本来のテレビ電波から派生したノイズ成分であるため、スプリアス信号に基づいて適正に映像を再生することは不可能である。従って、ステップＳ１９０においては、まずスプリアスチャンネルについてのデータをチャンネルデータテーブルＴ１から削除することとしている。スプリアスチャンネルが削除された後のチャンネルデータテーブルＴ１には、適正に映像を再生することが可能な正常チャンネルのみが記憶されていることとなる。
【００３５】
そして、正常チャンネルに対しては、ＲＯＭ１９ｂに記憶されたＡＩＲ放送用のチャンネルデータ１９ｂ１に基づいてチャンネル情報を対応づけて記憶させる。ＡＩＲ放送用のチャンネルデータ１９ｂ１には、各搬送周波数と、各搬送周波数帯域に割り当てられているＡＩＲ放送のチャンネル情報との対応関係が規定されており、チャンネルデータテーブルＴ１に記憶された搬送周波数に対応するチャンネル情報をチャンネルデータ１９ｂ１を参照して取得し、記憶させる。具体的には、チャンネル番号や放送局名等をチャンネルデータテーブルＴ１に追記する。
【００３６】
一方、ステップＳ２１０のＣＡＴＶモードにおいては、ステップＳ２００と同様にステップＳ１９０にて検出されたスプリアスチャンネルについてのデータをチャンネルデータテーブルＴ１から削除する。これにより、チャンネルデータテーブルＴ１には、適正に映像を再生することが可能な正常チャンネルのみが記憶されていることとなる。そして、正常チャンネルに対しては、ＲＯＭ１９ｂに記憶されたＣＡＴＶ用のチャンネルデータ１９ｂｂに基づいてチャンネル情報を対応づけて記憶させる。ＣＡＴＶ用のチャンネルデータ１９ｂ２には、各搬送周波数と、各搬送周波数帯域に割り当てられているＡＩＲ放送のチャンネル情報との対応関係が規定されており、チャンネルデータテーブルＴ１に記憶された搬送周波数に対応するチャンネル情報をチャンネルデータ１９ｂ２を参照して取得し、記憶させる。具体的には、チャンネル番号や放送局名等をチャンネルデータテーブルＴ１に追記する。
【００３７】
すなわち、ステップＳ２００のＡＩＲ放送モードと、ステップＳ２１０のＣＡＴＶモードとでは、同様の処理を行っているが、チャンネルデータテーブルＴ１に記憶された搬送周波数に対応させるデータが異なるものとなっている。ＡＩＲ放送とＣＡＴＶとでは、各搬送周波数に割り当てられているチャンネルが全く異なるため、それぞれに対応したチャンネルデータ１９ｂ１，１９ｂ２を利用して、搬送周波数とチャンネル情報とを登録する必要がある。従って、ステップＳ１９０においてＡＩＲ放送モードとＣＡＴＶモードに分岐させ、それぞれ対応した対応したチャンネルデータ１９ｂ１，１９ｂ２を利用して、搬送周波数とチャンネル情報とを登録させるようにしている。なお、ステップＳ１６０を実行するマイコン１９が本発明のＡＧＣ電圧記憶手段に相当し、ステップＳ１８０を実行するマイコン１９が本発明の計数手段に相当し、ステップＳ１９０を実行するマイコン１９が本発明の判定手段に相当し、ステップＳ２００，Ｓ２１０を実行するマイコン１９がチャンネル登録手段に相当する。
【００３８】
（３）まとめ
以上説明したように、同期信号が検出可能、かつ、中間周波信号の周波数のずれが少ないが、中間周波信号の信号強度が弱いチャンネルをスプリアスチャンネルとして検出し、同スプリアスチャンネル数が多いことをもってＡＩＲ放送が受信されていると判定している。スプリアス信号は伝送経路が有線で確保されているＣＡＴＶにおいては発生しにくいため、スプリアスチャンネル数が多いことをもって正確にＡＩＲ放送が受信されていることを判定することができる。
【図面の簡単な説明】
【００３９】
【図１】テレビジョンのブロック構成図である。
【図２】チャンネルデータテーブルを示す図である。
【図３】チャンネル登録処理の流れを示すフローチャートである。
【符号の説明】
【００４０】
１０…テレビジョン
１０ａ…アンテナ端子
１１…チューナ
１２…ＳＡＷフィルタ
１３…中間周波増幅回路
１４…映像検波回路
１５…映像信号処理回路
１５ａ…同期分離回路
１６…ＡＧＣ回路
１７…ＡＦＴ回路
１８…ＥＥＰＲＯＭ
１９…マイコン
１９ｅ，１９ｆ…Ａ／Ｄポート
３０…アンテナ
【図１】
2007028145.tif 000003
【図２】
2007028145.tif 000004
【図３】
2007028145.tif 000005